(57)【要約】【課題】本発明は、従来にない作用効果を発揮する画期的な陳列用の補助具を提供することを目的とする。【解決手段】ケース体１に収納された陳列物２を陳列棚８に陳列する際に使用する陳列用の補助具Ｈであって、ケース体１に収納された陳列物２を後傾状態として陳列する際における該ケース体１の裏面１ａを支持する支持部３と、この支持部３で支持された後傾状態のケース体１の下端部１ｃを受け止めする受け止め部４とから成る後傾陳列機構Ｋを具備し、この受け止め部４と前記支持部３との間には後側へ向かってのぼり傾斜する傾斜面５が設けられているものである。【選択図】図１
2006305314.tif 000002
【特許請求の範囲】
【請求項１】
ケース体に収納された陳列物を陳列棚に陳列する際に使用する陳列用の補助具であって、ケース体に収納された陳列物を後傾状態として陳列する際における該ケース体の裏面を支持する支持部と、この支持部で支持された後傾状態のケース体の下端部を受け止めする受け止め部とから成る後傾陳列機構を具備し、この受け止め部と前記支持部との間には後側へ向かってのぼり傾斜する傾斜面が設けられていることを特徴とする陳列用の補助具。
【請求項２】
請求項１記載の陳列用の補助具において、後端部には、背板と底板とからなる側面視略Ｌ字状の陳列棚の該背板に固定する為の固定部が設けられ、前端部裏面には、前記底板の前端側にして左右方向に延設された凹溝に嵌入される凸部が設けられていることを特徴とする陳列用の補助具。
【請求項３】
請求項２記載の陳列用の補助具において、前記固定部は前記背板に当接する当接面と前記背板の上縁に係止される係止部とで構成されていることを特徴とする陳列用の補助具。
【請求項４】
請求項２，３いずれか１項に記載の陳列用の補助具において、前記固定部は上下方向に複数設けられていることを特徴とする陳列用の補助具。
【請求項５】
請求項１〜４いずれか１項に記載の陳列用の補助具において、前記傾斜面と支持部との間には前記ケース体を嵌入した際、該ケース体を前傾状態で保持する凹条が設けられていることを特徴とする陳列用の補助具。
【請求項６】
請求項１〜５いずれか１項に記載の陳列用の補助具において、左右側部は、ケース体に収納された陳列物が左右方向へ倒伏することを阻止する倒伏阻止部に設定されていることを特徴とする陳列用の補助具。
【請求項７】
請求項１〜６いずれか１項に記載の陳列用の補助具において、この補助具は一枚の合成樹脂若しくは金属板を折曲して形成されたものであることを特徴とする陳列用の補助具。
【請求項８】
請求項５〜７いずれか１項に記載の陳列用の補助具において、前記凹条の後壁は上方に延設され、前記当接面の下縁は前方側へ延設されて延設面が形成され、この延設面の先端縁と前記後壁の延設先端縁との交線部が前記支持部に設定されていることを特徴とする陳列用の補助具。
【請求項９】
請求項１〜８記載の陳列用の補助具において、前記陳列物は、ケース体に収納されるレンタル用のＤＶＤ，ビデオテープなどの記録媒体であり、このケース体は、記録媒体が収納される内ケースと、この内ケースが取出可能に収納され該内ケースに収納された状態で記録媒体が貸し出された際に前記陳列棚に残される外ケースとから成るものであることを特徴とする陳列用の補助具。
【発明の詳細な説明】
【技術分野】
【０００１】
本発明は、ケース体に収納された陳列物を陳列棚に陳列する際に使用する陳列用の補助具に関するものである。
【背景技術】
【０００２】
従来、本棚のような陳列棚にＤＶＤ，ビデオテープ等の記録媒体を陳列しておく所謂レンタル業界では、例えばＤＶＤ等の記録媒体は、貸出用の内ケース１Ａに収納され、この記録媒体が収納された内ケース１Ａは陳列用の外ケース１Ｂに収納され、この状態で背が正面に見える状態(縦置き状態)で陳列する場合の他、陳列効果を向上することを目的として、最広表面１ｂ（書籍で言うところの背表紙）が正面に見える状態（平置き状態）で陳列する場合がある。
【０００３】
そこで、従来においても、この平置き状態での陳列を可能にする陳列用の補助具（従来例）が種々提案されている。
【０００４】
この従来例は、ケース体１を最広表面１ｂが正面且つ上方を向くように後傾状態で保持する構成であり、この後傾状態にして平置き状態で陳列すれば、最広表面１ｂが見易い陳列状態を得ることができ、しかも、陳列棚の正面側に倒れにくいことになる為、陳列棚から落下しにくい安定した陳列状態を得ることができる。
【発明の開示】
【発明が解決しようとする課題】
【０００５】
ところが、従来例は、いずれも体裁の良い平置き状態が得られない場合がある。
【０００６】
即ち、例えばケース体１を一度手にして戻す際など、このケース体１が煩雑に置かれた場合（ケース体１が後傾状態とならず起立状態のまま置かれたり、後傾状態であっても十分な傾斜角度でない状態のまま置かれたりした場合）、非常に体裁が悪くなるという問題点がある（他のケース体１の最広表面１ｂとの傾斜角度が揃わないと非常に体裁が悪くなる。）。
【０００７】
本発明は、上記の問題点を鑑みこれを解決したもので、ケース体に収納された陳列物を常に最適な後傾状態となるように見栄え良く平置きすることができる画期的な陳列用の補助具を提供するものである。
【課題を解決するための手段】
【０００８】
添付図面を参照して本発明の要旨を説明する。
【０００９】
ケース体１に収納された陳列物２を陳列棚８に陳列する際に使用する陳列用の補助具Ｈであって、ケース体１に収納された陳列物２を後傾状態として陳列する際における該ケース体１の裏面１ａを支持する支持部３と、この支持部３で支持された後傾状態のケース体１の下端部１ｃを受け止めする受け止め部４とから成る後傾陳列機構Ｋを具備し、この受け止め部４と前記支持部３との間には後側へ向かってのぼり傾斜する傾斜面５が設けられていることを特徴とする陳列用の補助具に係るものである。
【００１０】
また、請求項１記載の陳列用の補助具において、後端部には、背板６と底板７とからなる側面視略Ｌ字状の陳列棚８の該背板６に固定する為の固定部10が設けられ、前端部裏面には、前記底板７の前端側にして左右方向に延設された凹溝７ａに嵌入される凸部９が設けられていることを特徴とする陳列用の補助具に係るものである。
【００１１】
また、請求項２記載の陳列用の補助具において、前記固定部10は前記背板６に当接する当接面12と前記背板６の上縁に係止される係止部14とで構成されていることを特徴とする陳列用の補助具に係るものである。
【００１２】
また、請求項２，３いずれか１項に記載の陳列用の補助具において、前記固定部10は上下方向に複数設けられていることを特徴とする陳列用の補助具に係るものである。
【００１３】
また、請求項１〜４いずれか１項に記載の陳列用の補助具において、前記傾斜面５と支持部３との間には前記ケース体１を嵌入した際、該ケース体１を前傾状態で保持する凹条11が設けられていることを特徴とする陳列用の補助具に係るものである。
【００１４】
また、請求項１〜５いずれか１項に記載の陳列用の補助具において、左右側部は、ケース体１に収納された陳列物２が左右方向へ倒伏することを阻止する倒伏阻止部13に設定されていることを特徴とする陳列用の補助具に係るものである。
【００１５】
また、請求項１〜６いずれか１項に記載の陳列用の補助具において、この補助具Ｈは一枚の合成樹脂若しくは金属板を折曲して形成されたものであることを特徴とする陳列用の補助具に係るものである。
【００１６】
また、請求項５〜７いずれか１項に記載の陳列用の補助具において、前記凹条11の後壁16は上方に延設され、前記当接面12の下縁は前方側へ延設されて延設面15が形成され、この延設面15の先端縁と前記後壁16の延設先端縁との交線部が前記支持部３に設定されていることを特徴とする陳列用の補助具に係るものである。
【００１７】
また、請求項１〜８記載の陳列用の補助具において、前記陳列物２は、ケース体１に収納されるレンタル用のＤＶＤ，ビデオテープなどの記録媒体であり、このケース体１は、記録媒体が収納される内ケース１Ａと、この内ケース１Ａが取出可能に収納され該内ケース１Ａに収納された状態で記録媒体が貸し出された際に前記陳列棚８に残される外ケース１Ｂとから成るものであることを特徴とする陳列用の補助具に係るものである。
【発明の効果】
【００１８】
本発明は上述のように構成したから、前述した従来例と異なり、ケース体に収納された陳列物を常に最適な後傾状態となるように見栄え良く平置きすることができる画期的な陳列用の補助具となる。
【発明を実施するための最良の形態】
【００１９】
好適と考える本発明の実施形態を、図面に基づいて本発明の作用を示して簡単に説明する。
【００２０】
ケース体１に収納された陳列物２を置くと、ケース体１の裏面１ａは支持部３で支持されるとともに、ケース体１の下端部１ｃは受け止め部４で受け止められ、ケース体１はこの支持部３と受け止め部４とから成る後傾陳列機構Ｋにより後傾状態にして平置き状態で陳列される。
【００２１】
本発明は、この受け止め部４と前記支持部３との間には後側へ向かってのぼり傾斜する傾斜面５が設けられており、よって、仮にケース体１が煩雑に置かれたとしても（ケース体１の下端部１ｃが受け止め部４で受け止められる位置と異なる位置で置かれたとしても）、ケース体１の下端部１ｃは傾斜面５を滑り、受け止め部４で受け止められる位置まで移動することになる。
【００２２】
従って、ケース体１に収納された陳列物２を常に最適な後傾状態となるように見栄え良く平置きすることができることになる。
【実施例１】
【００２３】
本発明の具体的な実施例１について図面に基づいて説明する。
【００２４】
実施例１は、ケース体１に収納された陳列物２を陳列棚８に陳列する際に使用する陳列用の補助具Ｈである。
【００２５】
本実施例では、ケース体１としてレンタル店で使用されるケース体１（記録媒体２が収納される貸出用の内ケース１Ａと、この内ケース１Ａを取出可能に収納する陳列用の外ケース１Ｂとから成るケース体１）を例に説明しているが、その他にも、音楽ＣＤを収納するケースやレコードを収納するケース（所謂ジャケット）でも良いなど、本実施例の特性を発揮するものであれば適宜採用し得るものである。
【００２６】
また、本実施例では、陳列棚８として本出願人が特開２００２−２７２５７５（特許査定済み）として提案する背板６と底板７とからなる側面視略Ｌ字状の陳列棚８を採用しており、底板７の先端側には、補助具を使用せず直にケース体１を載置して陳列する際にケース体１の下端部１ｃを係止する為の凹溝７ａが形成されている。
【００２７】
本実施例の補助具Ｈは、図１に図示したように適宜な合成樹脂製の透明部材を一枚の薄板状に形成（型による一体成形）したものであり、ケース体１や陳列棚８の大きさが考慮された幅寸法及び長さ寸法に設定されている。尚、この補助具Ｈを構成する素材は金属製でも良い。
【００２８】
また、本実施例の補助具Ｈは、１つのＤＶＤ等に１つ使用するものである。
【００２９】
また、本実施例の補助具Ｈは、図１〜７に図示したようにその後端部（上端部）に陳列棚８の背板６に固定する為の固定部10が設けられており、この固定部10は、背板６に当接する当接面12と、この当接面12の上縁に折曲形成される鉤状の係止部14とで構成されている。
【００３０】
また、本実施例の補助具Ｈは、図１〜７に図示したようにその前端部（下端部）の裏面には、陳列棚８の該底板７先端側に形成された凹溝７ａに嵌入される凸部９が設けられており、この突部９は、後述する傾斜面５の裏面に突出形成される３つの突片９で構成されている。
【００３１】
従って、本実施例の補助具Ｈは、固定部10を陳列棚８の背板６に掛け止め係止するとともに、凸部９を底面７の凹溝７ａに嵌入させることで陳列棚８に対して堅固に載置固定されることになる。尚、本実施例の補助具Ｈを陳列棚８に固定する手段としては固定部10若しくは凸部９のいずれか一方のみとしても良い。
【００３２】
また、本実施例の補助具Ｈは、ケース体１に収納された陳列物２を後傾状態にして平置き状態で陳列し得る後傾陳列機構Ｋを具備している。
【００３３】
具体的には、この後傾陳列機構Ｋは、ケース体１の裏面１ａを支持し得る支持部３と、この支持部３で支持されて後傾状態のケース体１の下端部１ｃを受け止めする受け止め部４とで構成されている。
【００３４】
支持部３は、図１，３〜５に図示したよう本実施例の補助具Ｈの中央部を前端側に向かって段状に形成したものであり、後述する凹条11の後壁16が上方に延設されるとともに、前記固定部10に係る当接面12の下縁を前方側へ延設して延設面15が形成され、この延設面15の先端縁と後壁16の延設先端縁との交線部が前記支持部３として構成されている。
【００３５】
受け止め部４は、図１，３〜５に図示したように本実施例の補助具Ｈの前端縁を立ち上がり状に形成したものであり、この受け止め部４の高さは適宜後傾状態としたケース体１の下端部１ｃよりも高い高さに設定されている。
【００３６】
従って、この後傾陳列機構Ｋにより、ケース体１の裏面１ａを支持部３で支持せしめるとともに、ケース体１の下端部１ｃを受け止め部４で受け止めることで、ケース体１を後傾状態にして平置き状態で陳列することができる（この支持部６と受け止め部７とは、ケース体１の最広表面１ｂが見易くなることが考慮された最適な傾斜角度となるように設定されている。）。
【００３７】
尚、この受け止め部４として本実施例の補助具Ｈの前端を立ち上がり状に形成しているが、陳列棚８の底板７の前端縁を立ち上がり状に形成し、これを受け止め部４として使用する構成としても良い。
【００３８】
また、本実施例の補助具Ｈは、図１，３〜５に図示したように支持部３と受け止め部４との間には後側へ向かってのぼり傾斜する傾斜面５が設けられている。
【００３９】
この傾斜面５は、その表面が滑面に設定されており、ケース体１の下端部１ｃを置いた際、該ケース体１の下端部１ｃが受け止め部４へ受け止めされる位置まで滑り動せしめるように構成されている。
【００４０】
また、本実施例の補助具Ｈは、ケース体１（外ケース１Ｂ）を前傾状態で保持する凹条11が設けられている。
【００４１】
この凹条11は、図１，３〜７に図示したように傾斜面５の後端側を折曲形成したものであり、ケース体１（外ケース１Ｂ）の下端部１ｃを嵌入係止し得るように構成されている。
【００４２】
この凹条11は、レンタル店において陳列物２が収納された内ケース１Ａを空の外ケース１Ｂに戻す際に特に有効である。
【００４３】
即ち、例えばレンタル店において貸し出された記録媒体入りの内ケース１Ａが返却されて戻ってくると、店員は片手に多数の内ケース１Ａを山積にして持ち、順次空の陳列用の外ケース１Ｂに返却された内ケース１Ａを挿入収納する作業を行なうことになるが、この場合、片手での作業であり、何ら支持されること無く立設状態に置かれた外ケース１Ｂに内ケース１Ａを挿入収納することになる為、外ケース１Ｂが倒れることを気にしながらの作業となってしまい、厄介で非常に効率が悪い。
【００４４】
この点、本実施例は、凹条11に嵌入して外ケース１Ｂを前傾状態で保持することができるから、片手操作で、外ケース１Ｂに内ケース１Ａを簡易且つ確実に挿入収納し得ることになる（図６，７参照）。この外ケース１Ｂに対して内ケース１Ａを収納した後、片手操作にてケース体１の傾状態にして平置き状態が得られる。
【００４５】
また、補助具Ｈは、その左右側部が陳列棚８に縦置きされたケース体１に収納された陳列物２が左右方向へ倒伏するのを阻止する倒伏阻止部13として機能（所謂ブックエンド機能）する。
【００４６】
本実施例は上述のように構成したから、ケース体１に収納された陳列物２を置くと、ケース体１の裏面１ａは支持部３で支持されるとともに、ケース体１の下端部１ｃは受け止め部４で受け止められ、ケース体１はこの支持部３と受け止め部４とから成る後傾陳列機構Ｋにより後傾状態にして平置き状態で陳列される。
【００４７】
本実施例は、この受け止め部４と支持部３との間には後側へ向かってのぼり傾斜する傾斜面５が設けられており、よって、仮にケース体１が煩雑に置かれたとしても（ケース体１の下端部１ｃが受け止め部４で受け止められる位置と異なる位置で置かれたとしても）、ケース体１の下端部１ｃは傾斜面５を滑り、受け止め部４で受け止められる位置まで移動することになる。
【００４８】
よって、本実施例によれば、ケース体１に収納された陳列物２を常に最適な後傾状態となるように見栄え良く平置きすることができることになる。
【００４９】
また、本実施例は、後端部には、背板６と底板７とからなる側面視略Ｌ字状の陳列棚８の該背板６に固定する為の固定部10が設けられ、前端部裏面には、底板７の前端側にして左右方向に延設さらた凹溝７ａに嵌入される凸部９が設けられているから、陳列棚８に対してガタつかない堅固な載置固定が可能となる。
【００５０】
また、本実施例は、固定部10は背板６に当接する当接面12と背板６の上縁に係止される係止部14とで構成されているから、背板６に対して上方から掛け止めするだけで簡易且つ確実に陳列棚８に固定し得ることになり、しかも、当接面12が背板６に当接することで後方への移動が確実に防止されることになる。
【００５１】
また、本実施例は、傾斜面５と支持部３との間にはケース体１を嵌入した際、該ケース体１を前傾状態で保持する凹条11が設けられているから、例えば片手で内ケース１Ａを外ケース１Ｂに戻す作業が良好に行なえることになる。
【００５２】
また、本実施例は、左右側部は、ケース体１に収納された陳列物２が左右方向へ倒伏することを阻止する倒伏阻止部13に設定されているから、より一層良好な陳列状態が得られることになる。
【００５３】
また、本実施例は、補助具Ｈは一枚の合成樹脂を折曲して形成されたものであるから、簡易構造にして量産性に秀れることになる。
【実施例２】
【００５４】
本発明の具体的な実施例２について図面に基づいて説明する。
【００５５】
実施例２は、補助具Ｈの後端部（上端部）に複数の固定部10を上下方向に多段に設けた場合である。
【００５６】
具体的には、図８に図示したように固定部10は上下２段であり、下方の固定部10の当接面12の上縁奥側に当接面12’が連設され、この当接面12’の上縁に鉤状の係止部14’が折曲形成された構成である。
【００５７】
従って、図９，10に図示したように上下いずれかの固定部10を使用することで、背板６の高さの異なる陳列棚８に確実に固定することができる。
【００５８】
尚、本発明は、実施例１，２に限られるものではなく、各構成要件の具体的構成は適宜設計し得るものである。
【図面の簡単な説明】
【００５９】
【図１】実施例１を示す斜視図である。
【図２】実施例１を示す底面図である。
【図３】実施例１の使用状態説明図である。
【図４】実施例１の動作説明図である。
【図５】実施例１の動作説明図である。
【図６】実施例１の使用状態説明図である。
【図７】実施例１の使用状態説明図である。
【図８】実施例２を示す斜視図である。
【図９】実施例２の使用状態説明図である。
【図１０】実施例２の使用状態説明図である。
【符号の説明】
【００６０】
Ｈ  補助具
Ｋ  後傾陳列機構
１  ケース体
１ａ  裏面
１ｃ  下端部
１Ａ  内ケース
１Ｂ  外ケース
２  陳列物
３  支持部
４  受け止め部
５  傾斜面
６  背板
７  底板
８  陳列棚
９  凸部
10  固定部
11  凹条
12  当接面
13  倒伏阻止部
14  係止部
15  延設面
16  後壁
【図１】
2006305314.tif 000003
【図２】
2006305314.tif 000004
【図３】
2006305314.tif 000005
【図４】
2006305314.tif 000006
【図５】
2006305314.tif 000007
【図６】
2006305314.tif 000008
【図７】
2006305314.tif 000009
【図８】
2006305314.tif 000010
【図９】
2006305314.tif 000011
【図１０】
2006305314.tif 000012